(57)【要約】【課題】十分に広い荷室開口部と荷室を確保でき、容易に短時間でトノカバーを装着できる車両用荷室構造を提供すること。【解決手段】本発明では、車両の後部に形成され荷室の中に荷物の出し入れを可能にする荷室開口部を有し、前記荷室は、当該荷室の中の左右に設けられたトリムの間の幅が前記荷室開口部の幅より広く設定され、トノカバーが着脱自在な車両用荷室構造において、前記左右のトリムには、車幅中央側に突出して荷室内前後に延びる左右の棚部と、該左右の棚部から上に離間して車幅中央側に突出する左右の前側の突出部及び左右の後側の突出部と、前記左右の棚部と左右の前側の突起部とによって形成される左右の前側の溝部と、前記左右の棚部と左右の後側の突起部とによって形成される左右の後側の溝部とが形成され、前記トノカバーは、前記左右の前側の溝部と前記左右の後側の溝部にスライドさせて装着することが可能な構成であることを特徴とする。【選択図】図１
2015081016.tif 000002
【特許請求の範囲】
【請求項１】
車両の後部に形成され荷室の中に荷物の出し入れを可能にする荷室開口部を有し、前記荷室は、当該荷室の中の左右に設けられたトリムの間の幅が前記荷室開口部の幅より広く設定され、トノカバーが着脱自在な車両用荷室構造において、
前記左右のトリムには、車幅中央側に突出して荷室内前後に延びる左右の棚部と、該左右の棚部から上に離間して車幅中央側に突出する左右の前側の突出部及び左右の後側の突出部と、前記左右の棚部と左右の前側の突起部とによって形成される左右の前側の溝部と、前記左右の棚部と左右の後側の突起部とによって形成される左右の後側の溝部とが形成され、
前記トノカバーは、前記左右の前側の溝部と前記左右の後側の溝部にスライドさせて装着することが可能な構成であることを特徴とする、車両用荷室構造。
【請求項２】
前記左右の後側の溝部の棚部が、車両後下方向に傾斜していることを特徴とする請求項１の車両用荷室構造。
【請求項３】
前記左右の前側の溝部の前端と前記左右の後側の溝部の後端には、ストッパが形成されていることを特徴とする請求項１又は請求項２記載の車両用荷室構造。
【請求項４】
前記トノカバーは、前記左右の前側の溝部及び前記左右の後側の溝部に装着可能な使用可能な状態から屈曲可能な可撓性を有していることを特徴とする請求項１ないし請求項３のいずれか１項記載の車両用荷室構造。
【発明の詳細な説明】
【技術分野】
【０００１】
本発明は、車両の後部荷室にトノカバーを取付け可能な車両用荷室構造に関する。
【背景技術】
【０００２】
ワゴン車、ワンボックス車、スポーツユーティリティー車等の車両では、後部の荷室において、車上荒らしによる荷物の盗難を防ぐという防犯上の目的で当該荷室内の荷物が車両の外部から見えないようにしたり、当該荷物が日光に晒されるのを防ぐ目的で荷物を覆い隠すことが行われる。また、運転中、例えば車両が段差を越える時等に荷室内の荷物が飛び上って荷物が荷室内から客室内に侵入することを防ぐ目的で荷物を覆い隠すことが行われる。
【０００３】
このように荷室の荷物を覆い隠す技術としては、例えば特許文献１が知られている。特許文献１の技術は、車両の後方荷室の左右側面に設けられた左右のトリムに荷室の前後方向に伸びるガイドレールが取り付けられている。また、前記左右のガイドレールの中を前後方向に自在に動く複数のスライダーが取り付けられている。さらに、左右一対の前記スライダーを連結されたロッドによりトノカバーが指示されている。その結果、前記トノカバーは荷室内をガイドレールに沿って前後に移動し、荷物を覆い隠す。
【０００４】
ところが特許文献１の技術では、荷室の後端までガイドレールが取り付けられているため、テールゲートの開口部の幅及び荷室の幅が狭くなり、荷物の積載性が悪くなる。また、荷室内にガイドレールが常に取り付けられており、荷物がガイドレールに当たらないように荷物をガイドレールより低い位置に積載しなければならず、荷物を積載できる荷室の高さや幅が制限されてしまう。トノカバーを使用しない時には全てのスライダーを荷室前方向に寄せてトノカバーを蛇腹状に折り畳むが、折り畳まれたトノカバーにより後方の視界が妨げられてしまう。またトノカバーを奇麗にコンパクトに折り畳むのに時間がかかり、作業性も悪い。
【先行技術文献】
【特許文献】
【０００５】
【特許文献１】実開平２−１２５８４４号公報
【発明の概要】
【発明が解決しようとする課題】
【０００６】
本発明は、十分に広い荷室の幅と開口部の幅が確保でき、容易に短時間でトノカバーを装着及び脱着することができる車両用荷室構造を提供することを課題とする。
【課題を解決するための手段】
【０００７】
請求項１に係る発明の車両用荷室構造では、車両の後部に形成され荷室の中に荷物の出し入れを可能にする荷室開口部を有し、前記荷室は、当該荷室の中の左右に設けられたトリムの間の幅が前記荷室開口部の幅より広く設定され、トノカバーが着脱自在な車両用荷室構造において、左右の前記荷室内のトリムには、車幅中央側に突出して荷室内前後に延びる左右の棚部と、前記左右の棚部から上に離間して車幅中央側に突出する左右の前側の突出部及び左右の後側の突出部と、前記左右の棚部と左右の前記前側の突起部とによって形成される左右の前側の溝部と、前記左右の棚部と左右の前記後側の突起部とによって形成される左右の後側の溝部とが形成され、前記トノカバーは、前記左右の前側の溝部と前記左右の後側の溝部にスライドさせて装着することが可能な構成であることを特徴とする。
【０００８】
請求項２に係る発明の車両用荷室構造では、左右の前記後側の溝部の棚部が、車両後下方向に傾斜していることを特徴とする。
【０００９】
請求項３に係る発明の車両用荷室構造では、左右の前記前側の溝部の前端と前記後側左右の溝部の後端には、ストッパが形成されていることを特徴とする。
【００１０】
請求項４に係る発明の車両用荷室構造は、前記のトノカバーが、左右の前記前側の溝部及び左右の前記後側の溝部に装着可能な使用可能な状態から屈曲可能な可撓性を有していることを特徴とする。
【発明の効果】
【００１１】
請求項１に係る発明では、荷室内のトリムに形成された荷室の中の左右の棚部と左右の前側及び後側の突起部から形成される前側の溝部と後側の溝部によりトノカバーを装着できるので、十分広い開口部と荷室空間を確保でき、例えばゴルフバック等の荷物の積載性が向上する。また、トノカバーを荷室の中の左右の前記棚部と左右の前記前側及び後側の突起部から形成される前側の溝部と後側の溝部にスライドさせることによって装着できるので作業性が良く、トノカバーを短時間で装着できる。更に、トノカバーを使用しない時にはトノカバーを車両の外に搬出すことができ、十分な後方視界を確保することができる。
【００１２】
請求項２に係る発明では、前記左右の棚部の後側が車両後下方向に傾斜しているため、トノカバーをスライドさせて装着する際、トノカバーを当該傾斜した棚部の上面に沿わせてスライドすることにより容易に装着することができる。すなわち、トノカバーを荷室の中に搬入した後、トノカバーの後部を傾斜部の上面に沿わせて荷室後下方向に引くことにより、トノカバーの前端が前側の突起部を回避することができ、その後トノカバーの後端を後側の溝部の上面まで持ち上げてトノカバーを前側の突起部と後側の突起部の下面に対して水平にすることにより、トノカバー前端を前側の溝部に容易に挿入することができる。
【００１３】
請求項３に係る発明では、トノカバーをスライド挿入する前側の溝部の前端と後側の溝部の後端にストッパが形成されるため、溝部の中でトノカバーが前後に動かないように固定することができる。また、荷室開口扉を開けた際、前記ストッパによりトノカバーが荷室開口部から後方に飛び出することがなく、安全に荷室の中に荷物を搬入、搬出することができる。
【００１４】
請求項４に係る発明では、トノカバーが屈曲可能な可撓性を具備するため、トノカバーの枠体を自由に屈曲させることによりトノカバーの幅より狭いテールゲートの開口部から荷室内にトノカバーを容易に搬入することができる。また、棚部の上面をスライドさせて溝部に挿入することができる。更に、トノカバーを使用しない場合には短時間で屈曲縮小することができ、コンパクトに収納することができ、車両への収納性や保管性も向上する。
溝部内で車両中央から車幅方向につっぱることができるのでトノカバーを安定的に車両に固定でき、車両が段差を越える時等に荷室内の荷物が飛び上って荷物が客室内に侵入することを防ぐことができる。
【図面の簡単な説明】
【００１５】
【図１】本発明に係る荷室を有する車両の後部の斜視図である。
【図２】図１に示される荷室を車幅中央側から見た断面図である。
【図３】図２に示される荷室を上から見た断面図である
【図４】図３の４−４’線に沿った断面図である。
【図５】図２に示される溝部に装置着するトノカバー及びトノカバーを屈曲する手順を示す図である。
【図６】図２に示される荷室にトノカバーを挿入する手順を説明する図である。
【図７】図６に示されるトノカバーを前側の溝部と後側の溝部に装着する手順を説明する図である。
【発明を実施するための形態】
【００１６】
本発明の実施の形態を添付図に基づいて以下に説明する。
【実施例】
【００１７】
先ず、本発明の構成を図１に基づいて説明する。
図１に示すように、ワゴン車、ワンボックス車、スポーツユーティリティー車等の車両１０の後部に設けられた荷室１１は、荷室開口扉１２、荷室開口部１３、荷室１１の中を覆う荷室内のトリム１４、座席背面１５及びトノカバー１６からなる。
【００１８】
荷室１１は、前を座席背面１５（座席背面１５の上端から垂直上方向に伸びる仮想面を含む。）、後を荷室開口扉１２、左右を左右の荷室内のトリム１４によって画されている。
【００１９】
荷室開口扉１２は、車両後部の荷室開口部１３の上端にヒンジ１７を支点に取り付けられ、荷室開口扉１２の左右の端と荷室開口部１３の左右の端を繋ぐ左右一対のダンパー１８により支持されている。荷室開口扉１２は、前記ヒンジ１７を軸にして開閉することができる。荷室開口扉１１を開けることにより、車外から荷室１１の中に荷物１９を搬入し、また荷室１０の中から車外に荷物１９を搬出することができる。なお、ヒンジ１７は荷室開口部１３の上端の他、荷室開口部１３の下端又は左端、右端に設けられることがあり、いずれもヒンジ１７を軸に荷室開口扉１２を開閉することができる。荷室開口扉１２の荷室側の内側には樹脂製の荷室開口扉のトリム２１が取り付けられ、荷室開口扉のトリム２１の上部には略矩形の背面ガラス窓２０が嵌め込まれている。
【００２０】
荷室開口部１３は、荷室開口扉１２を開けた時に現れる荷室１０の後端の領域を言う。荷室開口部の形状は、車両後方から見て矩形又は上辺が短い隅丸の台形である。荷室開口部１３の内側は全周にわたってＡＢＳ樹脂やナイロン樹脂等の樹脂製の荷室内のトリム１４又は別部材である荷室開口部のトリム２２により覆われている。
【００２１】
荷室内のトリム１４は、荷室１１の左右の側面全体を覆うように設けられている。左右の荷室内のトリム１４の上部には略台形又は略矩形の側面ガラス窓２３が嵌め込まれている。前記背面ガラス２０と側面ガラス窓２３を通して、車外の第三者は荷室の中１１を覗くことができ、また日差しが荷室１１の中を照らす。左右の荷室内のトリム１４の下部には後輪２４との干渉を防ぐために荷室１１の内側に膨出した後輪膨出部２５が形成されている。荷室内のトリム１４の素材は、前記荷室開口部のトリム２２と同じ樹脂製である。
【００２２】
荷室１１の左右に設けられた荷室内のトリム１４の間の幅は、荷室の前方及び中央部において荷室開口部１３の左右の幅よりも広く設定されている。荷室１１の後方は車幅中央側に絞られ、後端において荷室開口部１３と同じ幅となる。
【００２３】
側面ガラス窓２３の下方と後輪膨出部２５の上方の間には、左右の荷室内のトリム１４を車幅中央側に水平に突出させた左右一対の棚部２６が形成されている。左右の棚部２６が、荷室１１の前端から荷室１１の後端まで略水平に伸び、又は後記傾斜部２７の直前まで略水平に伸びてもよい。左右の棚部２６の車幅方向の突出先端間の距離、左右の前側の突起部２８の突出先端間の距離、及び左右の後側の突起部２９の突出先端間の距離は、荷室開口部１３の幅と同じ又は同幅より大きく設定されている。棚部２６の上面は、トノカバー１６及びその枠体３５がスライドすることができるように平滑であり、その形状は、縦長の矩形であるが、前端及び後端のみトノカバー１６の外周形状に合わせて例えば隅丸としてもよい。
【００２４】
左右の棚部２６の後側、後述する左右の後側の突起部２９の前端を垂直下方向のおろした部位あたりから、荷室１１の後端まで後方下方向に傾斜していてもよく、この傾斜した部分を傾斜部２７という。左右の傾斜部２７は、棚部２６と同様に荷室内のトリム１４を突出させて形成してもよいし、車両後方に向かって車幅中央側に絞られた形状の左右の荷室内のトリム１４を一部切り欠いて形成してもよい。左右の傾斜部２７の上面は、トノカバー１６及びその枠体３５をスライド可能とするために平滑であり、その形状は、縦長矩形であるが、前端及び後端のみトノカバー１６の外周形状に合わせて例えば隅丸としてもよい。
【００２５】
左右の棚部２６の前側上方には、左右の荷室のトリム１４を車幅中央側に突出させた左右の前側の突起部２８が形成されている。左右の前側の突起部２８の前後方向の長さは、スライドされたトノカバー１６を保持できるに十分な長さであり、左右の前側の突起部２８の底面の幅は、左右の棚部２６の上面と同じ幅である。左右の前側の突起部２８の底面、すなわち棚部２６の上面と対向する面は、トノカバー１６及びその枠体３５をスライド可能とするために平滑であり、その形状は、縦長の矩形であるが、前端のみトノカバー１６の外周形状に合わせて例えば隅丸としてもよい。
【００２６】
左右の棚部２６の前側上面と対向する左右の前側の突起部２８の底面の間の、上下方向の間隔は、トノカバー１６の厚さよりも広い間隔である。
【００２７】
左右の棚部２６の前端と左右の前側の突起部２８の前端には、上下の両前端を繋ぐ、棚部２６や前側の突起部２８と同じ幅で荷室内のトリム１４を車両中央側に膨出させた板状の前ストッパ３０が左右に形成される。
その結果、左右の前ストッパ３０、左右の棚部２６の前側及び左右の前側の突起部２８により囲まれた前側の溝部３１が左右に形成される。
【００２８】
左右の傾斜部２７の上方には、後側が車幅中央側に絞られた荷室内のトリム１４を突出させるか、又は車両後方に向かって車幅中央側に絞られた形状の荷室内のトリム１４を一部切り欠くかにより、左右の後側の突起部２９が形成される。左右の後側の突起部２９の前後方向の長さは、スライドされたトノカバー１６を保持できるに十分な長さであり、左右の後側の突起部２９の底面の幅は、左右の棚部２６の上面と同じ幅である。後側の突起部２９の底面、左右のすなわち棚部２６の上面と対向する面は、トノカバー１６及びその枠体３５をスライド可能とするために平滑である。その形状は、縦長矩形であるが、後端のみトノカバー１６の外周形状に合わせて例えば隅丸としてもよい。
【００２９】
左右の棚部２６の後側上面又は左右の傾斜部２７の上面と対向する左右の後側の突起部２７底面の上下方向の間隔は、車両前方から車両後方に向けて徐々に広がっているが、前端においてはトノカバー１６の上下方向の厚さよりも広く、後端においては前端の間隔よりも広い。
【００３０】
左右の傾斜部２７の後端と左右の後側の突起部２９の後端には、両後端を繋ぐ、傾斜部２７や後側の突起部２９と同じ幅で荷室内のトリム１４を車両中央側に膨出させた板状の後ストッパ３２が形成される。
その結果、後ストッパ３２、左右の傾斜部２７及び左右の後側の突起部２９により囲まれた後側の溝部３３が左右に形成される。
【００３１】
左右の前側の突起部２８の前端から左右の後側の突起部２９の後端までの長さは、トノカバー１６の左右の辺の前端から後端までの長さと同じか、それよりも長い。
【００３２】
トノカバー１６は図５のとおりである。トノカバー１６は、薄い布等又は合成繊維等を編み込んだ薄い網目状シートからなるトノカバー本体３４と、トノカバー本体３４の外周に沿って設けられる枠体３５、枠体３５を被覆して枠体３５とトノカバー本体３４と接続する被覆体３６、及びトノカバー１６を荷室１１内に装着するためにつかむ持ち手３７を備えている。
【００３３】
トノカバー１６の平面形状は隅丸の略矩形、又は略台形であり、左右の前ストッパ３０及び左右の後ストッパ３２と接触する部位を除き、前辺は接触する座席背面１５の形状と一致、後辺は接触する荷室開口扉のトリム２１の形状と一致しいているのが望ましい。トノカバー１６の左右の長さは左右の前側の溝部３１及び後側の溝部３３の車幅方向の間隔と同じ若しくは僅かに長い又は僅かに短い。トノカバー１６の前後の長さは、荷室１１の前後の長さと同じか、僅かに短い。
【００３４】
枠体３５は、アルミニウムや鉄等の可撓性を有する金属、又は樹脂等屈曲自在、かつ復元性を有する材料からなり、トノカバー本体３４の形状を維持する。これにより、枠体３５が可撓性を備えることから、トノカバー１６を前側の溝部３１や後側の溝部３３にスライドさせる際にトノカバー１６を撓ませることによって容易に行うことができる。また、トノカバー１６を使用しない時にはトノカバー１６を捩ってたたんで小さくすることができる。
【００３５】
枠体３５は、例えばトノカバー本体３４と同じ素材やゴムや皮革等からなる被覆体３６により被覆され、被覆体３６はトノカバー本体３４の外周に沿ってトノカバー３４に接着剤による接着又は糸による縫合により固定されている。
【００３６】
次に、トノカバー１６の装着方法について、図面６及び図７に基づいて説明する。
荷室開口扉１２を開けた後、小さく折られた状態から平板状に展開して短手方向を荷室開口部１２に向けたトノカバー１６を、荷室開口部１２から縦方向に荷室１１の中に搬入する。
【００３７】
荷室１１の中の左右の前側の突起部２８の上方で、縦長状態のトノカバー１６を右方向又は左方向に９０度回転させて荷室１１の中に装着する形態である横長状態にする。
【００３８】
なお、横長状態のトノカバー１６の長手方向左右を中心に向かって押して中央部において撓ませ、トノカバー１６の左右の幅を小さくし、横長状態のまま荷室１１の中に搬入してもよい。この場合は、トノカバー１６を荷室１１の中で回転させる必要はない。
【００３９】
トノカバー１６の前側を左右の前側の突起部２８の上面の上に、後端を左右の棚部２６又は傾斜部２７の上面の上に置く。トノカバー１６を車幅中央側から見ると、前上がりになった状態である。
【００４０】
持ち手３７をつかみ持ち、トノカバー１６の左右の後端を棚部２６の上面から傾斜部２７の上面に沿わせながら後側の溝部３１の中にスライドして滑り込ませるように後方に引く。その後、さらにトノカバー１６の左右の後端が後ストッパ３２に接触するまで後方に引く。
【００４１】
持ち手３７をつかみ、トノカバー１６の後端が左右の後側の突起部２９の底面に抵触するまでに持ち上げる。その結果、トノカバー１６は車幅中央側から見ると棚部２６と平行になるか、又はトノカバー１６はその可撓性から前下がりに撓んでトノカバー１６の前端が棚部２６の上面に接触するようになる。
【００４２】
なお、トノカバー１６の後端を、トノカバー１６の後端が後側の突起部２９の底面に抵触するように持ち上げたにも関わらず、トノカバー１６の左右の前端が前側の突起部２８の上に乗ったままで棚部２６の上面に接触しない場合には、トノカバー１６を左右方向から押して中央部において撓ませ、トノカバー１６は車幅中央側から見ると棚部２６と平行になるか、又はトノカバー１６はその可撓性から前下がりに撓んでトノカバー１６の前端が棚部２６の上面に接触するまで更に後方に引く。
【００４３】
持ち手３７をつかみ、トノカバー１６を前方に押し、トノカバー１６の前端を左右の棚部２６の上面を滑らせて左右の前側の溝部３１に挿入し、そのまま左右の前ストッパ３０に接触するまで押す。
【００４４】
持ち手３７をつかみ、トノカバー１６を棚部２６の上を前後に滑らせて、トノカバー１６の前端が前側の溝部３１の中に位置するように調整、かつトノカバー１６の後端が後側の溝部３３の中に位置させることをもって、トノカバーの装着が完了する。
【００４５】
最後に、トノカバー１６の脱着方法を説明する。トノカバー１６の着脱は、脱着方法の逆の手順をたどる。荷室開口扉１２を開ける。持ち手３７をつかみ、トノカバー１６の後端が左右の後ストッパ３２に接触するまで真っすぐに後方に引く。その結果、トノカバー１６の前端は左右の前側の溝部３１の外に位置することになる。
【００４６】
なお、トノカバー１６を後ストッパ３２に接触するまで真っすぐに後方に引いたにも関わらず、トノカバー１６前端が前側の溝部３１の中に位置する場合には、トノカバー１６の左右を中心に向かって押して中央部において撓ませ、トノカバー１６の前端が前側の溝部３１の外に位置するまで更に後方に引く。
【００４７】
持ち手３７をつかみ、トノカバー１６の後端を押し下げ、トノカバー１６の左右の後端を傾斜部２７の上面に接触させる。その結果、トノカバー１６の前端が左右の前側の突起部２８の上面よりも上に位置した場合には、持ち手２７をつかみ、トノカバー１６の左右の後端を前方に押し、トノカバー１６の前端を左右の前側の突起部２８の上に乗せる。
【００４８】
なお、持ち手２７をつかみ、トノカバー１６の後端を下げ、トノカバー１６の後端を傾斜部２７の上面に接触させたにも関わらず、トノカバー１６の前端が左右の前側の突起部２８の上面の上に位置しない場合には、持ち手３７をつかみ、トノカバー１６の左右を中心に向かって押して中央部において撓ませ、トノカバー１６の左右の幅を狭くしてトノカバー１６の後端を更に下げる。その結果、トノカバー１６の前端が左右の前側の突起部２８の上面よりも上に位置した場合には、持ち手３７をつかみ、トノカバー１６の後端を前方に押し、トノカバー１６の前端を前側の突起部２８の上に乗せる。
【００４９】
これにより、トノカバー１６の左右の前端及び後端はいずれも左右の前側の溝部３１及び左右の後側の溝部３３の中に位置していないことになる。荷室１１の中の左右の前側の突起部２８の上方で、横長状態のトノカバー１６を右方向又は左方向に９０度回転させて縦長状態にし、トノカバー１６を荷室開口部１３から車両１０の外に搬出する。  
【００５０】
なお、トノカバー１６の長手方向左右を中心に向かって押して中央部において撓ませ、トノカバー１６の左右の幅を小さくし、横長状態のまま荷室開口部１３から荷室１１の外に搬出してもよい。
【００５１】
車両１０の外に搬出したトノカバー１６は、例えば枠体３５の左右の辺を両手で保持し、それぞれの手を反対側にひねって枠体３５を屈曲させ、屈曲させた枠体３３によりにより形成された二つの輪を重ね、収納袋等の中に収納し、荷室１１の中を含む車両１０の中や車両１１の外で保管する。
【産業上の利用可能性】
【００５２】
本発明は、車両後部に荷室を備えるワゴン車、ワンボックス車、スポーツユーティリティー車等様々なタイプの車両に好適である。
【符号の説明】
【００５３】
１０…車両、１１…荷室、１２…荷室開口扉、１３…荷室開口部、１４…荷室内のトリム、１５…座席背面、１６…トノカバー、１７…ヒンジ、１８…ダンパー、１９…荷物、２０…背面ガラス窓、２１…荷室開口扉のトリム、２２…荷室開口部のトリム、２３…側面ガラス窓、２４…後輪、２５…後輪膨出部、２６…棚部、２７…傾斜部、２８…前側の突起部、２９…後側の突起部、３０…前ストッパ、３１…前側の溝部、３２…後ストッパ、３３…後側の溝部、３４…トノカバー本体、３５…枠体、３６…被覆体、３７…持ち手
【図１】
2015081016.tif 000003
【図２】
2015081016.tif 000004
【図３】
2015081016.tif 000005
【図４】
2015081016.tif 000006
【図５】
2015081016.tif 000007
【図６】
2015081016.tif 000008
【図７】
2015081016.tif 000009